(57)【特許請求の範囲】
【請求項１】
第１の筐体の端部と第２の筐体の端部とが回転自在に連結され、前記第１の筐体は、
音声を出力する受話部と
表示部とを有し、
前記第２の筐体は、
音声を入力する送話部と、
操作部と、
無線回路と、
前記第１の筐体との連結側端部から前記第１の筐体を介さず筐体長手方向に延長するように突出させたアンテナとを有する事を特徴とする携帯無線装置。
【請求項２】
前記第２の筐体にイヤホンジャックを備えた事を特徴とする請求項１に記載の携帯無線装置。
【発明の詳細な説明】
【０００１】
【発明の属する技術分野】
本発明は、携帯無線装置するものである。
【０００２】
【従来の技術】
近年、ディジタルセルラー式電話、次世代コードレス電話等、無線通信のサービスが開始されるようになってきた。
【０００３】
【発明が解決しようとする課題】
本発明は、第１の筐体と第２の筐体とがヒンジで結合され、第１の筐体に表示部を有し、第２の筐体に操作部を有する携帯無線装置において、重心を操作部のある第２の筐体におきつつ、ヒンジを通過する配線の量を減らす事のできる携帯無線装置を提供することを目的とする。
【０００４】
【課題を解決するための手段】
本発明は、上記目的を達成するために、第２の筐体に、無線回路と前記第１の筐体との連結側面に突出させたアンテナとを有することを特徴とするものである。
【０００５】
【発明の実施の形態】
（実施の形態１）
以下、図面を参照しながら本発明の携帯無線装置について説明を行う。図１は従来の携帯無線装置の一種である携帯無線式ＴＶ電話のフリップ部を開いた状態の構成を示す外観図であり、図１に於いて、１は無線・制御回路を内蔵した装置本体、２は無線電波の送受信をするアンテナ、３は電話番号等を入力するキー操作部、４は音声入力をするマイク、５は電源を供給するバッテリー部、６は回動可能なヒンジ、７はヒンジ６により装置本体１に連結されたフリップ部、８はキー操作部３より入力された電話番号等あるいは相手側から送られてくる文字、画像情報を映す液晶モニター、９は本装置側の利用者の画像情報を相手側に送るためのＣＣＤカメラ、１０はスピーカホンとして受話音を出力するスピーカ、１１はイヤホン端子、１２はイヤホン端子１１に接続し、周囲の騒音で聞き取りにくい時、或いは周囲に相手の話を聞かれたくない場合に用いるイヤホンである。また、図４は同じく本実施の形態の携帯無線式ＴＶ電話のフリップ部を閉じた状態の構成を示す斜視図である。
【０００６】
以上のように構成された本実施の形態の携帯無線式ＴＶ電話について、以下その動作を説明する。相手側のＴＶ電話端末と音声・画像情報を送受信する場合、装置本体１とヒンジ６で連結されたフリップ部７を開き、液晶モニター８とＣＣＤカメラ９を視認しやすい位置に回動して固定し、液晶モニター８と一定の距離をもって保持する。
【０００７】
次に電源をＯＮすると、装置本体１に装着されたバッテリー部５により電源が供給され、装置本体１のキー操作部３から液晶モニター８で視認しながら相手側端末の電話番号を入力し、装置本体１の制御・無線回路を介して、アンテナ２から無線信号を発信し、発呼動作をおこなう。つづいて相手側の端末と無線での回線結合後、音声・画像・文字信号は無線信号を媒体としてアンテナ２を通じて端末間で送受信し、相手側端末から受信される音声情報はスピーカホンとして動作するスピーカ１０またはイヤホン端子１１に接続されたイヤホン１２から音声出力され、画像・文字情報は液晶モニター８により出力される映像として受けることができる。また、相手側端末へ送信する音声情報はマイク４により音声入力され、画像情報はＣＣＤカメラ９に画像入力され、相手側に伝送される。
【０００８】
一方、相手側端末がＴＶ電話機能のない音声通信機能のみの電話機の場合、前記動作と同様の方法で液晶モニター８、ＣＣＤカメラ９をＯＦＦにして音声情報のみの無線通信をおこなう。
【０００９】
（実施の形態２）
以下、本発明の実施の形態2について、図面を参照しながら説明する。
なお、本実施の形態も携帯無線装置の一種である携帯無線ＴＶ電話を例に説明を行う。
図３に於て、１は無線・制御回路を内蔵した装置本体、２は無線電波の送受信をするアンテナ、３は電話番号等を入力するキー操作部、４は音声入力をするマイク、５は電源を供給するバッテリー部、６は回動可能なヒンジ、７はヒンジ６により装置本体１に連結されたフリップ部、８はキー操作部３より入力された電話番号等あるいは相手側から送られてくる文字、画像情報を映す液晶モニター、９は本装置側の利用者の画像情報を相手側に送るためのＣＣＤカメラ、１０はスピーカホンとして受話音を出力するスピーカ、１１はイヤホン端子、１２はイヤホン端子１１に接続し、周囲の騒音で聞き取りにくい時、或いは周囲に相手の話を聞かれたくない場合に用いるイヤホンであり、以上は実施の形態1と同様である。また、図２は同じく携帯無線式ＴＶ電話のフリップ部を閉じた状態の構成を示す外観図であり、１３は音声通信のみのときに受話音を出力するイヤピース、１４は電話番号等の文字情報を表示するセグメント表示部である。
【００１０】
以上のように構成された本実施の形態の携帯無線式ＴＶ電話について、以下その動作を説明する。相手側のＴＶ電話端末と音声・画像情報を送受信する場合、装置本体１とヒンジ６で連結されたフリップ部７を開き、液晶モニター８とＣＣＤカメラ９を視認しやすい位置に回動して固定し、液晶モニター８と一定の距離をもって保持する。次に電源をＯＮすると、装置本体１に装着されたバッテリー部５により電源が供給され、装置本体１のキー操作部３から液晶モニター８で視認しながら相手側端末の電話番号を入力し、装置本体１の制御・無線回路を介して、アンテナ２から無線信号を発信し、発呼動作をおこなう。
【００１１】
つづいて相手側の端末と無線での回線結合後、音声・画像・文字信号は無線信号を媒体として端末間でアンテナ２を通じて送受信し、相手側端末から受信される音声情報はスピーカホンとして動作するスピーカ１０またはイヤホン端子１１に接続されたイヤホン１２から音声出力され、画像・文字情報は液晶モニター８により出力される映像として受けることができる。また、相手側端末へ送信する音声情報はマイク４により音声入力され、画像情報はＣＣＤカメラ９に画像入力され、相手側に伝送される。
【００１２】
一方、相手側の端末がＴＶ電話機能のない音声通信機能のみの電話機の場合、もしくは音声情報のみの送受信をしたい場合、図２に示すようにフリップ部７を閉塞し、液晶モニター８、ＣＣＤカメラ９をＯＦＦにした状態で、電源をＯＮすると、装置本体１に装着されたバッテリー部５により電源が供給され、装置本体１のキー操作部３からセグメント表示部１４で視認しながら相手側端末の電話番号を入力し、装置本体１の制御・無線回路を介して、アンテナ２から無線信号を発信し、発呼動作をおこなう。
【００１３】
つづいて相手側の端末と無線での回線結合後、音声信号は無線信号を媒体として端末間で送受信し、相手側端末から受信される音声情報はイヤピース１３またはイヤホン端子１１に接続されたイヤホン１２から音声出力され、受けることができる。また、相手側端末へ送信する音声情報はマイク４により音声入力され、相手側に伝送される。従って、音声のみの無線通信をおこなう場合は一定の距離を保持したスピーカホンによる通話でなく、フリップ部７を閉塞することにより通常の携帯無線電話と同様にイヤピース１３を耳に当てて通話することができる。
【００１４】
【発明の効果】
本発明は、第１の筐体と第２の筐体とがヒンジで結合され、第１の筐体に表示部を有し、第２の筐体に操作部を有する携帯無線装置において、第２の筐体に、無線回路と前記第１の筐体との連結側面に突出させたアンテナとを有することを特徴とするものであり、重量配分を操作部のある第２の筐体側を重くすることが可能となる。操作部側に重心があることで、操作部の操作感が良くなり、かつ、同一筐体にアンテナと無線回路とを配置させるので、アンテナと無線回路との結線はヒンジを介さなくとも良くなり、ヒンジを通過する配線の量を減らす事ができる。
【図面の簡単な説明】
【図１】本発明の実施の形態１における携帯無線装置のフリップ部を開いた状態の構成を示す外観図
【図２】本発明の実施の形態１における携帯無線装置のフリップ部を閉じた状態の構成を示す外観図
【図３】本発明の実施の形態２における携帯無線装置のフリップ部を開いた状態の構成を示す外観図
【図４】本発明の実施の形態２における携帯無線装置のフリップ部を閉じた状態の構成を示す外観図
【符号の説明】
１  装置本体
２  アンテナ
３  キー操作部
４  マイク
５  バッテリー部
６  ヒンジ
７  フリップ部
８  液晶モニター
９  ＣＣＤカメラ
１０  スピーカ
１１  イヤホン端子
１２  イヤホン
【図１】
0003714336.tif 000002
【図２】
0003714336.tif 000003
【図３】
0003714336.tif 000004
【図４】
0003714336.tif 000005